(57)【要約】【課題】  遊技機における基板ケースの不正な開封を防止する。【解決手段】  第１封止部１２４及び第２封止部１３４は、互いに前後に重合することにより、封止ピン１６の横方向からの挿入を可能とする横向き有底筒部を形成する。封止ピン１６は、横向き有底筒部を形成した第１封止部１２４及び第２封止部１３４の外側面に嵌合可能な鍔部１６３と、横向き有底筒部内に挿入され、横向き有底筒部内において第１封止部１２４及び第２封止部１３４に対して抜け方向へ弾性係合可能な係合突部１６１を有する。第１封止部１２４及び第２封止部１３４に、封止ピン１６の鍔部１６３に設けられた横方向に貫通する開口部１６２を閉塞可能な閉塞部１２４ｃ、１３４ｃを設ける。    【選択図】  図６
2006167178.tif 000002
【特許請求の範囲】
【請求項１】
第１ケース体及び該第１ケース体の前面に開閉自在に装着された第２ケース体を含む基板ケースと、前記第１ケース体と前記第２ケース体との間に収容され、遊技動作を制御する電子部品が装着された制御基板とを備え、前記第１ケース体に設けられた第１封止部と前記第２ケース体に設けられた第２封止部とを、封止ピンにより互いに固定することにより、前記第１封止部または前記第２封止部の切断箇所を切断しない限り、前記基板ケースの開封を不能にした遊技機の基板ケース装置において、
前記第１封止部及び前記第２封止部は、互いに前後に重合することにより、前記封止ピンの横方向からの挿入を可能とする横向き有底筒部を形成し、
前記封止ピンは、前記横向き有底筒部を形成した前記第１封止部及び前記第２封止部の外側面に嵌合可能な鍔部と、前記横向き有底筒部内に挿入され、前記横向き有底筒部内において前記第１封止部及び前記第２封止部に対して抜け方向へ弾性係合可能な係合突部を有し、
前記第１封止部及び前記第２封止部に、前記封止ピンの鍔部に設けられた横方向に貫通する開口部を閉塞可能な閉塞部を設けたことを特徴とする遊技機の基板ケース装置。
【請求項２】
遊技機内に固定されるベースブラケットと、該ベースブラケットの前面に配置される第１ケース体及び該第１ケース体の前面に開閉自在に装着された第２ケース体を含む基板ケースと、前記第１ケース体と前記第２ケース体との間に収容され、遊技動作を制御する電子部品が装着された制御基板とを備え、前記ベースブラケット、前記第１ケース体に設けられた第１封止部及び前記第２ケース体に設けられた第２封止部を封止ピンにより互いに固定することにより、前記第１封止部または前記第２封止部の切断箇所を切断しない限り、前記第１ケース体及び前記第２ケース体を前記ベースブラケットから分離不能にするとともに、前記基板ケースの開封を不能にした遊技機の基板ケース装置において、
前記第１封止部及び前記第２封止部は、互いに前後に重合することにより、前記封止ピンの横方向からの挿入を可能とする横向き有底筒部を形成し、
前記ベースブラケットは、前記封止ピンの横方向からの挿入を可能とする固定孔を有する固定片を備え、
前記封止ピンは、前記横向き有底筒部を形成した前記第１封止部及び前記第２封止部の外側面に嵌合可能な鍔部と、前記横向き有底筒部内に挿入され、前記固定片の固定孔を貫通して係合するとともに、前記横向き有底筒部内において前記第１封止部及び第２封止部に対して抜け方向へ弾性係合可能な係合突部を有し、
前記第１封止部及び前記第２封止部に、前記封止ピンの鍔部に設けられた横方向に貫通する開口部を閉塞可能な閉塞部を設けたことを特徴とする遊技機の基板ケース装置。
【請求項３】
ベースブラケットの固定片を、横向き有底筒部内に後方から差し込むことを特徴とする請求項２記載の遊技機の基板ケース装置。
【請求項４】
封止ピンを、前後方向に向けて、第１ケース体または第２ケース体に対して切り離し可能に一体的に形成したことを特徴とする請求項１〜３のいずれかに記載の遊技機の基板ケース装置。
【請求項５】
封止ピンを、第１封止部または第２封止部の近傍に設けたことを特徴とする請求項４記載の遊技機の基板ケース装置。
【発明の詳細な説明】
【技術分野】
【０００１】
本発明は、遊技を制御する制御基板を基板ケース内に収容した遊技機の基板ケース装置に関する。
【背景技術】
【０００２】
従来、スロットマシン、パチンコ機等の遊技機においては、遊技を制御するＣＰＵ、ＲＡＭ，ＲＯＭ等の電子部品、コネクタ及び電子部品と基板側コネクタとを電気的に接続するプリント配線を設けた制御基板を透明な基板ケース内に収容し、制御基板の電子部品を不正に交換する等の不正改造ができないように、基板ケースの封止部を封止ピンにより固定することによって、基板ケースを閉鎖する。また、制御基板を検査するため、基板ケースを開封する場合には、封止ピンにより固定された封止部の切断部をニッパーやドライバー等の工具で切断するようになっている（例えば、特許文献１参照）。
【特許文献１】特開平１１−２３９６５０号公報
【発明の開示】
【発明が解決しようとする課題】
【０００３】
しかし、上述の特許文献１に記載された遊技機の基板ケース装置は、基板ケースの封止部を固定した封止ピンの先端をドライバー等で内側に弾性変形させる等して、封止ピンを封止部から取り外して、基板ケースを不正に開封することができないように、封止ピンの先端側を、基板ケースに高周波接着等により接着された裏板により閉鎖し、封止ピンの不正操作を阻止するようにしている。しかし、この構造では、裏板を不正に加工することにより、封止ピンの不正操作が可能であるとともに、裏板を基板ケースに接着する等の複雑な作業を必要としてコストの上昇を招く等の問題を有する。
【０００４】
本発明は、従来の問題に鑑み、封止ピンの封止部からの取外しを不能にすることにより、基板ケースの不正な開封を防止するようにした遊技機の基板ケース装置を提供することを目的とする。
【課題を解決するための手段】
【０００５】
本発明によると、上記課題は、次のようにして解決される。
（１）第１ケース体及び該第１ケース体の前面に開閉自在に装着された第２ケース体を含む基板ケースと、前記第１ケース体と前記第２ケース体との間に収容され、遊技動作を制御する電子部品が装着された制御基板とを備え、前記第１ケース体に設けられた第１封止部と前記第２ケース体に設けられた第２封止部とを、封止ピンにより互いに固定することにより、前記第１封止部または前記第２封止部の切断箇所を切断しない限り、前記基板ケースの開封を不能にした遊技機の基板ケース装置において、前記第１封止部及び前記第２封止部は、互いに前後に重合することにより、前記封止ピンの横方向からの挿入を可能とする横向き有底筒部を形成し、前記封止ピンは、前記横向き有底筒部を形成した前記第１封止部及び前記第２封止部の外側面に嵌合可能な鍔部と、前記横向き有底筒部内に挿入され、前記横向き有底筒部内において前記第１封止部及び前記第２封止部に対して抜け方向へ弾性係合可能な係合突部を有し、前記第１封止部及び前記第２封止部に、前記封止ピンの鍔部に設けられた横方向に貫通する開口部を閉塞可能な閉塞部を設ける。
【０００６】
（２）遊技機内に固定されるベースブラケットと、該ベースブラケットの前面に配置される第１ケース体及び該第１ケース体の前面に開閉自在に装着された第２ケース体を含む基板ケースと、前記第１ケース体と前記第２ケース体との間に収容され、遊技動作を制御する電子部品が装着された制御基板とを備え、前記ベースブラケット、前記第１ケース体に設けられた第１封止部及び前記第２ケース体に設けられた第２封止部を封止ピンにより互いに固定することにより、前記第１封止部または前記第２封止部の切断箇所を切断しない限り、前記第１ケース体及び前記第２ケース体を前記ベースブラケットから分離不能にするとともに、前記基板ケースの開封を不能にした遊技機の基板ケース装置において、前記第１封止部及び前記第２封止部は、互いに前後に重合することにより、前記封止ピンの横方向からの挿入を可能とする横向き有底筒部を形成し、前記ベースブラケットは、前記封止ピンの横方向からの挿入を可能とする固定孔を有する固定片を備え、前記封止ピンは、前記横向き有底筒部を形成した前記第１封止部及び前記第２封止部の外側面に嵌合可能な鍔部と、前記横向き有底筒部内に挿入され、前記固定片の固定孔を貫通して係合するとともに、前記横向き有底筒部内において前記第１封止部及び第２封止部に対して抜け方向へ弾性係合可能な係合突部を有し、前記第１封止部及び前記第２封止部に、前記封止ピンの鍔部に設けられた横方向に貫通する開口部を閉塞可能な閉塞部を設ける。
【０００７】
（３）上記(２)項において、ベースブラケットの固定片を、横向き有底筒部内に後方から差し込む。
【０００８】
（４）上記(１)〜(３)項のいずれかにおいて、封止ピンを、前後方向に向けて、第１ケース体または第２ケース体に対して切り離し可能に一体的に形成する。
【０００９】
（５）上記(４)において、封止ピンを、第１封止部または第２封止部の近傍に設ける。
【発明の効果】
【００１０】
本発明によれば、次のような効果が奏せられる。
（ａ）請求項１記載の発明によると、第１封止部と第２封止部とを互いに前後に重合することにより横向き有底筒部を形成し、この横向き有底筒部に封止ピンを挿入することによって、第１封止部と第２封止部とを互いに固定するとともに、封止ピンに設けられた開口部を閉塞するようにしたことにより、ドライバー等の工具を用いて、封止ピンを第１封止部及び第２封止部から取り外すことは実質的に不可能になり、基板ケースの不正な開封を確実に防止することができる。また、従来のように裏板を必要としないので、コストの削減を図ることができる。
【００１１】
（ｂ）請求項２記載の発明によると、第１封止部と第２封止部とを互いに前後に重合することにより横向き有底筒部を形成し、この横向き有底筒部に封止ピンを挿入することによって、第１封止部と第２封止部とベースブラケットとを互いに固定するとともに、封止ピンに設けられた開口部を閉塞するようにしたことにより、ドライバー等の工具を用いて、封止ピンを第１封止部及び第２封止部から取り外すことは実質的に不可能になり、基板ケースのベースブラケットからの不正な分離、及び基板ケースの不正な開封を確実に防止することができる。また、従来のように裏板を必要としないので、コストの削減を図ることができる。
【００１２】
（ｃ）請求項３記載の発明によると、横向き有底筒部内で封止ピンがベースブラケットにおける固定片の固定孔に係合するので、封止ピンのベースブラケットからの取外しを確実に阻止することができる。
【００１３】
（ｄ）請求項４記載の発明によると、封止ピンを第１ケース体または第２ケース体に切り離し可能に一体的に設けたことにより、封止ピンの紛失を防止することができる。
【００１４】
（ｅ）請求項５記載の発明によると、封止ピンを第１封止部または第２封止部の近傍に設けたことにより、封止ピンを横向き有底筒部に迅速に挿入することができる。
【発明を実施するための最良の形態】
【００１５】
以下、本発明の一実施形態を、図１〜図９に基づいて説明する。図１は、本発明を適用した遊技機（スロットマシン）の正面図、図２は、前扉を開けた状態の遊技機の正面図、図３は、制御基板ユニットの斜視図、図４は、制御基板ユニットの分解斜視図である。なお、以下の説明では、図１、２において紙面手前側を遊技機の「前方または表面」とし、図１、２において紙面奥側を「後方または裏面」とし、図１、２において左側を「左方」とし、図１、２において右側を「右方」とする。
【００１６】
遊技機(１)としてのスロットマシンは、正面（前面）が開口する正面視矩形の筐体(２)と、筐体(２)の左側部に上下方向を向く上下１対のヒンジ軸(４)により開閉可能に枢支された前扉(３)とを備える。
【００１７】
前扉(３)は、閉状態にあるとき、前扉(３)の裏面に設けられた上下のフックレバー(５)が筐体(２)に設けられた係合片(2a)に係合することにより、所定のキー等を使用しない限り開けられないようになっている。
【００１８】
筐体(２)内には、複数種類の図柄、数字等で構成される識別情報を変動及び停止表示可能な３個の回転リール(６)と、遊技媒体であるメダル（コインを含む）を貯留及び払出可能なホッパーユニット(７)と、後述の透明な基板ケース(14)内に、遊技全体を統括的に制御する主制御基板(８)が収容されてなる制御基板ユニット(100)と、主制御基板(８)から出力される制御信号に基づいて、前扉(３)の裏面側に設けられた各種遊技情報及び演出を表示可能な液晶表示ユニット(31)、効果音を発生するスピーカ(32)、光により演出効果を盛り上げるランプ(33)に制御信号を出力可能な副制御基板(９)と、主制御基板(８)から出力される制御信号に基づいて、各回転リール(６)を回転させるモータを駆動制御可能な回転リール制御基板(10)と、主制御基板(８)へ電力を供給する電源装置(11)が収容されている。
【００１９】
前扉(３)の前面には、液晶表示ユニット(31)に表示される遊技情報及び演出を視認可能な遊技情報表示窓(34)と、各回転リール(６)の識別情報を３こまずつ視認可能な識別情報表示窓(35)と、前扉(３)の裏面に設けられる中部基板（図示略）に表示される各種情報を視認可能な複数の情報表示窓(36)と、遊技を行うときにメダルが投入されるメダル投入口(37)と、メダルの賭数を最大限（３枚）に設定するＭＡＸベットボタン(38)と、メダルの賭数を１枚に設定する１枚ベットボタン(39)と、全ての回転リール(６)を回転させるときに操作されるスタートレバー(40)と、各回転リール(６)の回転を停止させるときに操作される３個のストップボタン(41)と、遊技を精算するときに操作される精算ボタン(42)とが設けられている。
【００２０】
なお、ＭＡＸベットボタン(38)、１枚ベットボタン(39)、スタートレバー(40)、各ストップボタン(41)及び精算ボタン(42)には、それぞれの操作を検出可能な操作検知センサ（図示略）が内蔵されている。
【００２１】
遊技機(１)の遊技は、主制御基板(８)により統括的に制御され、遊技者がメダルをメダル投入口(37)に投入した後、ＭＡＸベットボタン(38)または１枚ベットボタン(39)によりメダルの賭数を設定した後、スタートレバー(40)を操作して、全ての回転リール(６)を回転させることによって開始される。なお、メダル投入口(37)に投入されたメダルは、前扉(３)の裏面側に設けられたメダルセレクタ（図示略）によりメダルの真偽が判別され、真と判別されたメダルのみがホッパーユニット(７)に誘導され、偽と判別されたメダルは前扉(３)の下部に設けられたメダル受皿(3a)に戻される。
【００２２】
回転リール(６)が回転して所定時間が経過した後、３個のストップボタン(41)を順次操作して、各回転リール(６)の回転を停止させ、停止した３個の回転リール(６)の識別情報の組み合わせにより、入賞の有無、及び賞の大小に応じたメダルの配当枚数が確定され、入賞した場合には、予め定めた入賞枚数分だけホッパーユニット(７)からメダル受皿(3a)にメダルが払い出される。
【００２３】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００２４】
制御基板ユニット(100)は、主制御基板(８)と、主制御基板(８)を収容して主制御基板(８)の不正改造を防止するための基板ケース(14)とを備え、金属製のベースブラケット(15)を介して、筐体(２)の後板(21)に固定される。
【００２５】
基板ケース(14)は、透明な合成樹脂材料により成形されるとともに、ベースブラケット(15)の前面に配置される第１ケース体(12)と、透明な合成樹脂材料により成型されるとともに、第１ケース体(12)の前面に開閉可能に装着される第２ケース体(13)とによって形成されている。なお、第２ケース体(13)は、左端部に設けられた上下の軸部(13a)（図４参照）が第１ケース体(12)の左端部に設けられた上下の半円筒部(12a)に嵌合されることによって、第１ケース体(12)に開閉可能に枢支される。
【００２６】
主制御基板(８)は、第１ケース(12)と第２ケース体(13)との間に挾持された状態で、基板ケース(14)内に縦置きに収容される。
【００２７】
主制御基板(８)の前面には、図４に示すように、ＣＰＵ、ＲＯＭ、ＲＡＭ等の各種電子部品(81)、外部コネクタ（図示略）が接続される複数の基板側コネクタ(82)が実装されるとともに、各種電子部品(81)と各基板側コネクタ(82)とを電気的に接続する多数のプリント配線が設けられている。
【００２８】
第１ケース体(12)は、図４に示すように、主制御基板(８)の後面側を覆う正面視矩形の第１収容部(121)を有し、第１収容部(121)の右部には、前方へ突出し、かつ上下方向へ弾性変形可能な上下の係合爪(122)が設けられ、また、右端部には、横方向の薄肉状の切断部(123)を介して前面が開放する半割筒状の６個の第１封止部(124)が上下方向に並設されている。なお、各第１封止部(124)は、上下に隣り合う同士が縦方向の薄肉状の切断部(125)により接続されている。
【００２９】
第２ケース体(13)は、主制御基板(８)の前面を覆う正面視矩形の第２収容部(131)を有し、基板側コネクタ(82)に対応する収容部(131)の下部には、基板側コネクタ(82)を露出させるための複数の開口部(135)が設けられ、また、第１ケース体(12)の係合爪(122)に対応する第２収容部(131)の右部には、係合爪(122)が弾性係合することにより、第２ケース体(13)を第１ケース体(12)に対して閉鎖位置に保持する係合孔(132)が設けられている。さらには、第１封止部(124)に対応する第２収容部(131)の右端部には、第２収容部(131)の右前面に刻設された記号(137)（図３のみに付与）「Ａ」〜「Ｆ」に対応するように、横方向の切断部(133)を介して第１封止部(124)に対向する後方側が開放する半割筒状の６個の第２封止部(134)が上下方向に並設されている。各第２封止部(134)は、上下に隣り合う同士が縦方向の切断部(136)により接続されている。
【００３０】
ベースブラケット(15)は、複数の止めネジ(17)をもって、筐体(２)の後板(21)に固定される正面視矩形の基部(150)を有し、基部(150)の右端部には、前方へＬ字状に折曲形成され、記号(137)「Ｂ」〜「Ｅ」に対応する４個の固定片(151)が上下方向に並設されている。各固定片(151)には、左右方向へ貫通する円形の固定孔(152)がそれぞれ設けられている。
【００３１】
図５は、要部の拡大斜視図、図６は、要部の分解拡大斜視図、図７は、第２封止部(134)を取り除いた要部の拡大斜視図、図８、９は、図３における要部の拡大横断面図である。なお、図５〜図７は、上方が遊技機の「前方」とし、下方が「後方」とする。
【００３２】
第１封止部(124)は、合成樹脂材料により第１収容部(121)と共に一体成形されるとともに、主に図６〜８に示すように、前方が開放する凹部(124a)には、前方を向き、かつ前端中央に半円状の係合溝(124e)を有する係合壁部(124b)及び前後方向へ貫通する差込孔(124d)がそれぞれ設けられ、また、右端部には、右方に突出する半円筒状の閉塞部(124c)が設けられている。なお、差込孔(124d)は、ベースブラケット(15)の固定片(151)が後方から差し込まれるものであって、記号(137)「Ｂ」〜「Ｅ」に対応する第２封止部(124)のみに設けられ、記号(137)「Ａ」及び「Ｆ」に対応する第２封止部(124)には設けられていない。
【００３３】
第２封止部(134)は、合成樹脂材料により第２収容部(131)と共に一体成形されるとともに、第１封止部(124)の差込孔(124c)が設けられていない以外は第１封止部(124)と前後相称形状であって、その後方が開放する凹部(134a)には、後方を向き、かつ係合溝(124e)に対向する半円状の係合溝(134e)を有する係合壁部(134b)が設けられ、また、右端部には、右方へ突出する半円筒状の閉塞部(134c)が設けられている。
【００３４】
第１封止部(124)及び第２封止部(134)は、図５、８及び図９に示すように、互いに前後に重合することにより、右端面に左右方向に貫通する挿入孔(141)を有する横向き有底筒部(140)を形成する。この横向き有底筒部(140)の挿入孔(141)に、後述の左右方向を向く封止ピン(16)を右方から挿入することにより、第１封止部(124)と第２封止部(134)とは互いに前後に固定される。固定された後は、各切断部(123)(125)(133)(136)を切断しない限り、基板ケース(14)を開封、すなわち第２ケース体(13)を第１ケース(12)に対して開けることは実質的に不可能になる。
【００３５】
封止ピン(16)は、合成樹脂材料で一体成形されるとともに、左右方向を向き、かつ横向き有底筒部(140)の挿入孔(141)から横向き有底筒部(140)内に挿入される二股状の係合突部(161)と、係合突部(161)の右端に設けられ、横向き有底筒部(140)を形成した第１封止部(124)及び第２封止部(134)の外側面に嵌合することにより、第１封止部(124)と第２封止部(134)とを互いに前後に固定する円板状の鍔部(163)とを有する。
【００３６】
封止ピン(16)の係合突部(161)の左端部（先端部）には、内側に弾性変形可能な係合爪(164)(164)が設けられている。
【００３７】
鍔部(163)には、係合突部(161)の根本付近から左右方向に貫通する２個の開口部(162)が設けられている。この開口部(162)は、左右方向を向く係合突部(161)に対して直交する方向、すなわち上下方向及び前後方向を向く係合爪(164)を樹脂成形する際、樹脂型を左右方向へ抜くための型抜き孔である。
【００３８】
横向き有底筒部(140)に封止ピン(16)を取り付けた状態においては、横向き有底筒部(140)を形成した第１封止部(124)及び第２封止部(134)における各閉塞部(124c)(134c)の外側面(124f)(134f)が、鍔部(163)の各開口部(162)に嵌合することにより、第１封止部(124)と第２封止部(134)とは互いに前後に固定されるとともに、各開口部(162)は閉塞部(124c)(134c)により閉塞される。
【００３９】
なお、記号(137)「Ｂ」〜「Ｅ」のいずれかに対応する横向き有底筒部(140)においては、主に図８に示すように、横向き有底筒部(140)の内部で、封止ピン(16)の係合突部(161)が、第１封止部(124)の差込孔(124d)から横向き有底筒部(140)内に突入したベースブラケット(15)における固定片(151)の固定孔(152)、及び各係合溝(124e)(134e)間を貫通して係合し、係合爪(164)が係合壁部(124b)(134b)の側面に対して抜け方向へ係合する。
【００４０】
また、記号(137)「Ａ」または「Ｆ」に対応する横向き有底筒部(140)においては、主に図９に示すように、横向き有底筒部(140)の内部で、封止ピン(16)の係合突部(161)が、各係合溝(124e)(134e)間に貫通して係合し、係合爪(164)が係合壁部(124b)(134b)の側面に対して抜け方向へ係合する。
【００４１】
制御基板ユニット(100)の組立て時には、先ず主制御基板(８)を第１ケース体(12)の第１収容部(121)と第２ケース体(13)の第２収容部(131)との間に挾持されるように収容し、係合爪(122)を係合孔(132)に係合させて基板ケース(14)を閉鎖する。これにより、第１封止部(124)と第２封止部(134)とは、互いに前後に重合して横向き有底筒部(140)を形成する。
【００４２】
次いで、封止ピン(16)の係合突部(161)を、記号(137)「Ａ」に対応する横向き有底筒部(140)の挿入孔(141)に、右方から挿入して横向き有底筒部(140)内へ押し込む。これにより、横向き有底筒部(140)を形成した各封止部(124)(134)の閉塞部(124c)(134c)が、封止ピン(16)の各開口部(162)にそれぞれ嵌合して、第１封止部(124)と第２封止部(134)とは、互いに前後に固定されるとともに、開口部(162)は、各閉塞部(124c)(134c)により閉塞される。そして、封止ピン(16)をさらに押し込むと、横向き有底筒部(140)内で、係合突部(161)が各係合壁部(124b)(134b)の係合溝(124e)(134e)間を貫通して、各係合壁部(124b)(134b)の側面に対して抜け方向へ弾性係合する（図９参照）。
【００４３】
上述のように、記号(137)「Ａ」に対応する第１封止部(124)と第２封止部(134)とを、封止ピン(16)により互いに固定するとともに、封止ピン(16)の開口部(162)を閉塞部(124c)(134c)により閉塞したことにより、ドライバー等の工具を封止部(16)の開口部(162)から横向き有底筒部(140)内に挿入する等して、各係合壁部(124b)(134b)に対して抜け方向に係合している封止ピン(16)の係合爪(164)の係合を不正に解除させることは実質的に不可能になり、基板ケース(14)の不正な開封を確実に阻止することができる。
【００４４】
封止ピン(16)により閉鎖した基板ケース(14)を、筐体(２)に取り付けるには、予め止めネジ(17)により後板(21)に固定したベースブラケット(15)の各固定片(151)を、各第１封止部(124)の差込孔(124d)に差し込んで、横向き有底筒部(140)内に突入させる。この状態で、他の封止ピン(16)を、記号(137)「Ｂ」に対応する横向き有底筒部(140)の挿入孔(141)に右方から挿入して横向き有底筒部(140)内へ押し込む。これにより、横向き有底筒部(140)を形成した第１封止部(124)の閉塞部(124c)及び第２封止部(134)の閉塞部(134c)が、封止ピン(16)の各開口部(162)にそれぞれ嵌合して、第１封止部(124)と第２封止部(134)とは、互いに前後に固定されるとともに、開口部(162)は、各閉塞部(124c)(134c)により閉塞される。そして、封止ピン(16)をさらに押し込むと、横向き有底筒部(140)内で、係合突部(161)がベースブラケット(15)における固定片(151)の固定孔(152)及び各係合溝(124e)(134e)を貫通して係合し、係合爪(164)が係合壁部(124b)(134b)の側面に対して抜け方向へ弾性係合（図８参照）することにより、記号(137)「Ｂ」に対応する横向き有底筒部(140)は、ベースブラケット(15)の固定片(151)に固定される。
【００４５】
上述のように、記号(137)「Ｂ」に対応する横向き有底筒部(140)とベースブラケット(15)の固定片(151)とを、封止ピン(16)により互いに固定するとともに、封止ピン(16)の開口部(162)を閉塞部(124c)(134c)により閉塞したことにより、ドライバー等の工具を封止部(16)の開口部(162)から横向き有底筒部(140)内に挿入する等して、各係合壁部(124b)(134b)に対して抜け方向に係合している封止ピン(16)の係合爪(164)の係合を不正に解除させることは実質的に不可能になり、基板ケース(14)のベースブラケット(15)からの不正な分離、及び基板ケース(14)の不正な開封を確実に防止することができる。
【００４６】
基板ケース(14)をベースブラケット(15)に固定した後に、主制御基板(８)の電子部品(81)の検査を行なう場合には、先ず、記号(137)「Ｂ」に対応する各封止部(124)(134)の横方向の切断部(123)(133)及び縦方向の切断部(125)(136)をニッパー等の工具で切断する。
【００４７】
各切断部(123)(125)(133)(136)を切断すると、その切断された箇所の記号(137)「Ｂ」に対応する第１封止部(124)及び第２封止部(134)は、他の封止ピン(16)と共に第１ケース体(12)及び第２ケース体(13)から分離する。これにより、基板ケース(14)をベースブラケット(15)から外すことができる。
【００４８】
基板ケース(14)をベースブラケット(15)から取り外した後は、記号(137)「Ａ」に対応する各封止部(124)(134)の各切断部(123)(125)(133)(136)を切断する。これにより、記号(137)「Ａ」に対応する第１封止部(124)と第２封止部(134)は、封止ピン(16)と共に第１ケース体(12)及び第２ケース体(13)から分離するため、基板ケース(14)を開封して主制御基板(８)を取り出して検査することができる。
【００４９】
また、主制御基板(８)を外部の検査機関で検査する場合には、予備の封止ピン(16)により、未使用の記号(137)「Ｆ」に対応する第１封止部(124)と第２封止部(135)とを互いに固定した状態で外部の検査機関に搬送する。これにより、基板ケース(14)の搬送中に、基板ケース(14)が不正に開封されることはない。
【００５０】
検査後は、基板ケース(14)は廃棄される。そして、未使用の基板ケース(14)を準備し、この基板ケース(14)に主制御基板(８)を収容して記号(137)「Ａ」に対応する第１封止部(124)及び第２封止部(134)を別の封止ピン(16)により互いに固定した状態で、送り返される。
【００５１】
図１０は、本発明の他の実施形態に係わる制御基板ユニット(100)の斜視図である。この他の実施形態は、第１ケース体(12)に６個の封止ピン(18)を一体的に樹脂成形し、封止ピン(18)を必要に応じて第１ケース体(12)から切り離し可能にしたものである。
【００５２】
具体的には、封止ピン(18)は、前記実施形態の封止ピン(16)と同一形状の鍔部(181)と係合突部(182)とを有し、係合突部(182)が前方へ向くように、各第１封止部(124)の近傍に必要に応じて切断可能な薄肉状の切断部(183)を介して設けられている。
【００５３】
封止ピン(18)を前後方向へ向けることにより、第１ケース体(12)を樹脂成形する際の樹脂型の向きと封止ピン(18)を樹脂成形する際の樹脂型の向きとが、共に同一方向（前後方向）となるため、封止ピン(18)を第１ケース体(12)に一体的に成形することが可能になる。
【００５４】
この他の実施形態においては、封止ピン(18)を第１ケース体(12)における第１封止部(124)の近傍に一体的に設けたことにより、封止ピン(18)の紛失を防止することができるとともに、必要なときに封止ピン(18)を第１ケース体(12)から切り離して、迅速に第１封止部(124)と第２封止部(134)とを、封止ピン(18)により互いに固定することができる。
【００５５】
なお、封止ピン(18)を第２ケース体(13)における第２封止部(13)の近傍に切り離し可能に一体的に設けても、上記他の実施形態と同様な作用効果を奏する。
【図面の簡単な説明】
【００５６】
【図１】本発明を適用した遊技機の正面図である。
【図２】前扉を開けた状態の遊技機の正面図である。
【図３】制御基板ユニットの斜視図である。
【図４】制御基板ユニットの分解斜視図である。
【図５】要部の拡大斜視図である。
【図６】要部の分解拡大斜視図である。
【図７】第２封止部を取り除いた要部の拡大斜視図である。
【図８】図３におけるVIII−VIII線に沿う拡大横断面図である。
【図９】図３におけるIX−IX線に沿う拡大横断面図である。
【図１０】他の実施形態における制御基板ユニットの斜視図である。
【符号の説明】
【００５７】
(１)遊技機
(２)筐体
(2a)係合片
(３)前扉
(3a)メダル受皿
(４)ヒンジ軸
(５)フックレバー
(６)回転リール
(７)ホッパーユニット
(８)主制御基板（制御基板）
(９)副制御基板
(10)回転リール制御基板
(11)電源装置
(12)第１ケース体
(12a)半円筒部
(13)第２ケース体
(13a)軸部
(14)基板ケース
(15)ベースブラケット
(16)封止ピン
(17)止めネジ
(18)封止ピン
(21)後板
(31)液晶表示ユニット
(32)スピーカ
(33)ランプ
(34)遊技情報表示窓
(35)識別情報表示窓
(36)情報表示窓
(37)メダル投入口
(38)ＭＡＸベットボタン
(39)１枚ベットボタン
(40)スタートレバー
(41)ストップボタン
(42)精算ボタン
(81)電子部品
(82)基板側コネクタ
(100)制御基板ユニット
(121)第１収容部
(122)係合爪
(123)切断部
(124)第１封止部
(124a)凹部
(124b)係合壁部
(124c)閉塞部
(124d)差込孔
(124e)係合溝
(124f)外側面
(125)切断部
(131)第２収容部
(132)係合孔
(133)切断部
(134)第２封止部
(134a)凹部
(134b)係合壁部
(134c)閉塞部
(134e)係合溝
(134f)外側面
(135)開口部
(136)切断部
(137)記号
(140)横向き有底筒部
(141)挿入孔
(150)基部
(151)固定片
(152)固定孔
(161)係合突部
(162)開口部
(163)鍔部
(164)係合爪
(181)鍔部
(182)係合突部
(183)切断部
【図１】
2006167178.tif 000003
【図２】
2006167178.tif 000004
【図３】
2006167178.tif 000005
【図４】
2006167178.tif 000006
【図５】
2006167178.tif 000007
【図６】
2006167178.tif 000008
【図７】
2006167178.tif 000009
【図８】
2006167178.tif 000010
【図９】
2006167178.tif 000011
【図１０】
2006167178.tif 000012